(57)【要約】【課題】ディスク装置のターンテーブルにヘッドが干渉することを回避させ、ターンテーブルの大幅な強度低下を回避させる。【解決手段】ディスク１００が装着されるターンテーブル１０と、ディスク１００の信号の読取りまたはディスク１００に対する信号の書込み／書換え／消去が可能とされたヘッド５０と、ターンテーブル１０にヘッド５０が干渉することを回避させる干渉回避部１５とを備えたディスク装置１を構成させることにより、ターンテーブル１０にヘッド５０が干渉するということを回避させることができる。切欠き部１５とされた干渉回避部１５を断面略湾曲状のアーチ状に形成させることにより、ターンテーブル１０の大幅な強度低下を回避させ易くすることができる。【選択図】図１
2008091008.tif 000002
【特許請求の範囲】
【請求項１】
ディスクが装着されるターンテーブルと、
該ディスクの信号の読取りまたは該ディスクに対する信号の書込み／書換え／消去が可能とされたヘッドと、
該ターンテーブルに該ヘッドが干渉することを回避させる干渉回避部と、
を少なくとも備える
ことを特徴とするディスク装置。
【請求項２】
前記干渉回避部は、前記ターンテーブルに設けられた
ことを特徴とする請求項１に記載のディスク装置。
【請求項３】
前記ターンテーブルは、
前記ディスクが装着される側の面を構成するものとして形成された第一面部と、
該第一面部に対して略直交する方向に沿って形成された第二面部と、
該第一面部に対して略平行に形成されると共に該第二面部に対して略直交する方向に沿って形成された第三面部と、
を備え、
前記干渉回避部は、該第二面部と該第三面部とが交差する角部が切り欠かれて形成された切欠き部とされた
ことを特徴とする請求項１又は２に記載のディスク装置。
【請求項４】
前記切欠き部は、断面略湾曲状のアーチ状に形成された
ことを特徴とする請求項３に記載のディスク装置。
【請求項５】
前記ヘッドは、
第一対物レンズと、
該第一対物レンズに並設された第二対物レンズと、
を備える
ことを特徴とする請求項１〜４の何れか１項に記載のディスク装置。
【請求項６】
前記ターンテーブルに装着された前記ディスクのラジアル方向に略沿って、前記第一対物レンズと、前記第二対物レンズと、が並設された
ことを特徴とする請求項５に記載のディスク装置。
【請求項７】
前記ターンテーブルが回転させられたときに、該ターンテーブルの回転によって前記ヘッドを冷却させる冷却促進部を備える
ことを特徴とする請求項１〜６の何れか１項に記載のディスク装置。
【請求項８】
前記冷却促進部は、前記ターンテーブルに形成された溝を備える
ことを特徴とする請求項７に記載のディスク装置。
【発明の詳細な説明】
【技術分野】
【０００１】
本発明は、例えばディスクを回転させるディスク装置に関するものである。
【背景技術】
【０００２】
ディスク装置のドライブ装置に装備される略円板状のディスクの各種部分は、規格により、ディスクの定められた位置に設けられている。詳しく説明すると、ディスクには、ディスクがドライブ装置の略円環状クランパに挟み込まれる略平面円環状クランプエリアが、規格にて定められた位置に形成されている。また、規格により、ディスクには、略平面円環状パワーキャリブレーションエリアなどが、略平面円環状クランプエリアの外周側直近に設けられている。
【０００３】
クランパ等が記載されたものとして、例えば、中心部に孔が形成されているディスクをターンテーブル上に載置させるクランプ装置について記載の特許公開公報が挙げられる（例えば、特許文献１参照。）。
【０００４】
また、クランプエリア等が記載されたものとして、例えば、再生専用装置でのプレイアビリティを確保させつつ、空間的または時間的な記録効率の向上を図ることのできる光ディスク記録方法および光ディスク記録装置について記載の特許公開公報が挙げられる（例えば、特許文献２参照。）。
【０００５】
また、パワーキャリブレーションエリア（Power Calibration Area : ＰＣＡ）等が記載されたものとして、例えば、標準記録モード又は高密度記録モードを選択して実行可能とされる光ディスク装置において、高密度記録モードで記録された光ディスクを的確に判別可能な光ディスク装置および光ディスクの判別方法について記載の特許公開公報が挙げられる（例えば、特許文献３参照。）。
【０００６】
ドライブ装置のスピンドルモータ上に設けられたターンテーブルは、ディスクの調芯と、ディスクの高速回転の安定化確保といった機能を兼ね備えたものとされている。そのため、ターンテーブルには、高精度化や高剛性化が要求されている。従来のターンテーブルにおいては、例えばターンテーブルがスピンドルモータにより高速回転させられたときに、ターンテーブルに振動が生じることを回避させることが重要視されていた。このようなことから、従来のターンテーブルは、回転時における安定化を目指して製作されていた。そのため、従来のターンテーブルは、金属材料が用いられて製作されていた。
【０００７】
近年、略全てのドライブ装置メーカは、ドライブ装置の低価格化競争に対応するために、ドライブ装置に装備された金属製のターンテーブルを樹脂製のターンテーブルに略置き換えた。また、ターンテーブルの樹脂化と共に、ターンテーブルのさらなる高精度化も、ドライブ装置メーカ等にて追求されている。
【０００８】
次に、光学式ヘッドにより、ディスクから信号が読み出されたり、ディスクに対して信号の書込み／書換え／消去が行われたりする状態について説明する。光学式ヘッドの発光素子から小さいパワーのレーザ光（LASER：light amplification by stimulated emission of radiation）が出射され、対物レンズによりレーザ光が絞り込まれ、レーザ光の焦点がディスクの信号面部に照射されることにより、ディスクの信号面部からデータ等の情報の読取りが行われる。また、光学式ヘッドの発光素子から大きいパワーのレーザ光が出射され、対物レンズによりレーザ光が絞り込まれ、レーザ光の焦点がディスクの信号面部に照射されることにより、ディスクの信号面部に対し、データ等の情報の書込み／書換え／
消去が行われる。
【０００９】
光学式ヘッドの発光素子からレーザ光が出射されるときに、発光素子が発熱される。熱対策が行われたものとして、例えば、レーザ素子を効率良く冷却することにより、レーザ素子の高寿命化を達成させて、信頼性に優れたディスク装置とさせたものが記載の特許公開公報が挙げられる（例えば、特許文献４参照。）。
【００１０】
また、ＣＤ（Compact Disc）（商標）系列のディスクや、ＤＶＤ（登録商標）（Digital Versatile Disc）系列のディスクや、「Blu-ray Disc」（登録商標）系列のディスクなどの各種ディスクが商品化されて、一般化されつつある状況下において、さらにディスクのレーベル面側にもレーザ光を照射させて各種書込みを行うことが可能とされた規格も定められつつある。光学式ヘッドの製造メーカにおいては、全ての規格のディスクに対応するディスク装置などの商品開発を急ぎ進めている状況下にある。
【００１１】
このような状況下において、例えば、ブルーレーザを含む多種の波長のレーザに対応しても薄型化もしくは小型化の少なくとも一方を実現できる光ピックアップ装置及び光ディスク装置について記載の特許公開公報が開示された（例えば、特許文献５参照。）。
【特許文献１】特開２０００−０３０３３１号公報（第２頁、第１図）
【特許文献２】特開２００５−３４６８１８号公報（第１，４頁、第３図）
【特許文献３】特開２００５−０１８８９３号公報（第１，４，９頁、第４図）
【特許文献４】特開２００１−３１９４６９号公報（第２頁、第１−８図）
【特許文献５】特開２００５−０３２２８６号公報（第１，３頁、第１−１２図）
【発明の開示】
【発明が解決しようとする課題】
【００１２】
しかしながら、ディスク装置のドライブ装置を構成する要素部品などにおいて難題が生じ、このことからドライブ装置の開発にネックが生じ、その結果、全ての規格のディスクに対応するディスク装置の開発に支障が生じることとなった。例えば、ディスクが載置され、スピンドルモータにより回転させられるターンテーブルに難題が生じている。
【００１３】
ディスクのＰＣＡが、ディスクの略平面円環状クランプエリアの直近に設けられているので、光学式ヘッドの対物レンズがディスクの信号面部の最内周部に近付けられて、対物レンズにより絞られたレーザ光の焦点がディスクの信号面部の最内周部に合わせられるときに、光学式ヘッドの対物レンズの周辺部がターンテーブルに接触することが懸念される。
【００１４】
例えば、ディスクの半径方向いわゆるディスクのラジアル方向に沿って、二つの対物レンズがレンズホルダに並設されたヘッドが用いられた場合、そのようなヘッドがディスクのラジアル方向の最も内側に寄せられたときに、ヘッドの内側対物レンズの周辺部と、ターンテーブルとが接触することが懸念される。
【００１５】
このような不具合の発生を回避させるために、ヘッドを可能な限り小型化させることや、ターンテーブルを小型／薄肉化させることが考えられた。
【００１６】
しかしながら、各種性能などを維持させることや、各種規格などの各種制約により、ヘッドを単に小型化させることや、ターンテーブルを単に小型／薄肉化させることは、現時点では困難とされた。
【００１７】
例えば、ヘッドを構成するハウジングの肉厚を薄くすることにより、ヘッドを小型化させる場合、ヘッドの耐衝撃性に対する信頼性が確保され難くなる。ディスク装置を構成す
るヘッドが、ディスク装置を構成するフレーム等に衝突するときのヘッドの落下衝撃に関する評価項目は、ヘッドにおける重要な評価項目とされている。
【００１８】
現時点においては、光学式ヘッドをより小型化させることは、光学式ヘッドにおいて、光学設計に基づいた光学レイアウトや光学部品の大きさ等をさらに小さくさせたとしても限界があった。そのため、光学式ヘッドの対物レンズがディスクの信号面部の最内周部に近付けられて、対物レンズにより絞られたレーザ光の焦点がディスクの信号面部の最内周部に合わせられるときに、光学式ヘッドの対物レンズの周辺部と、ターンテーブルとの間に、余裕をもたせるということは、困難なこととされた。
【００１９】
また、例えば、ターンテーブルを単に小型化させたり薄肉化させたりする場合、ターンテーブルの大幅な強度低下の発生が懸念された。ターンテーブルを単に小型／薄肉化させた場合、小型／薄肉化されたターンテーブルに載置されたディスクが、ドライブ装置のクランパにより、ターンテーブルと、クランパとの間に回動可能に保持されたときに、クランプ不良が生じることが懸念される。また、単に小型／薄肉化されたターンテーブルと、クランパとの間にディスクが保持されて、ディスクがスピンドルモータにより高速で回転させられたときに、ディスクに振動が発生することが懸念される。
【００２０】
また、光学式ヘッドの発光素子からレーザ光が出射されるときに、発光素子が発熱される。ディスクの信号面部に対して、データ等の情報の書込み／書換え／消去が行われるときに、発光素子から大きいパワーのレーザ光が出射されるので、発光素子は蓄熱されてゆく傾向にある。発光素子の温度が上昇すると、発光素子から出射されるレーザ光の波長に変化が生じることとなる。ディスクの信号面部に高品質なピットを形成させるために、発光素子から出射されるレーザ光の波長は、変動されることなく略一定に保たれることが要求されている。また、発光素子が過熱されると、発光素子を備えた光学式ヘッドの各種部品や動作特性などに支障を来たすことも懸念される。
【００２１】
また、例えばディスク装置を各種機器に組み込む組立メーカ等からディスク装置の価格低減化が要求されている。
【００２２】
本発明は、上記した問題点を解決することにある。本発明は、上記した点に鑑み、ターンテーブルにヘッドが干渉することを回避させ、ターンテーブルの大幅な強度低下を回避させたディスク装置を提供することを目的とする。
【課題を解決するための手段】
【００２３】
上記目的を達成するために、本発明の請求項１に係るディスク装置は、ディスクが装着されるターンテーブルと、該ディスクの信号の読取りまたは該ディスクに対する信号の書込み／書換え／消去が可能とされたヘッドと、該ターンテーブルに該ヘッドが干渉することを回避させる干渉回避部と、を少なくとも備えることを特徴とする。
【００２４】
上記構成により、ターンテーブルにヘッドが干渉するということは回避される。ターンテーブルにヘッドが干渉することを回避させる干渉回避部が、ディスク装置に備えられているので、ターンテーブルにヘッドが最も近付けられても、ターンテーブルにヘッドが接触するということは、回避されることとなる。
【００２５】
請求項２に係るディスク装置は、請求項１に記載のディスク装置において、前記干渉回避部は、前記ターンテーブルに設けられたことを特徴とする。
【００２６】
上記構成により、例えば各種性能が犠牲にされてヘッドが小型／薄肉化され、その結果、無理な設計仕様によるヘッドが構成されるということは回避される。ターンテーブルに
ヘッドが干渉することを回避させる干渉回避部は、ターンテーブルに設けられているので、干渉回避部のためにヘッドの設計仕様に影響が及ぼされるということはない。ヘッドに要求される各種性能は確保され、しかも、ターンテーブルにヘッドが接触するということも回避されることとなる。
【００２７】
請求項３に係るディスク装置は、請求項１又は２に記載のディスク装置において、前記ターンテーブルは、前記ディスクが装着される側の面を構成するものとして形成された第一面部と、該第一面部に対して略直交する方向に沿って形成された第二面部と、該第一面部に対して略平行に形成されると共に該第二面部に対して略直交する方向に沿って形成された第三面部と、を備え、前記干渉回避部は、該第二面部と該第三面部とが交差する角部が切り欠かれて形成された切欠き部とされたことを特徴とする。
【００２８】
上記構成により、ターンテーブルの大幅な強度低下は、回避され易くなる。ターンテーブルを単に小型／薄肉化させるのではなく、ターンテーブルの第二面部と、ターンテーブルの第一面部に対して略平行な第三面部とが交差する角部が切り欠かれて、ターンテーブルに干渉回避用の切欠き部が形成されたので、著しくターンテーブルの強度が低下するということは回避され、ターンテーブルに必要とされる強度は、確保され易くなる。
【００２９】
請求項４に係るディスク装置は、請求項３に記載のディスク装置において、前記切欠き部は、断面略湾曲状のアーチ状に形成されたことを特徴とする。
【００３０】
上記構成により、ターンテーブルの大幅な強度低下は、さらに回避され易くなる。ターンテーブルの第二面部と第三面部とが交差する角部が切り欠かれて形成された切欠き部は、断面略湾曲状のアーチ状とされているので、ターンテーブルにディスクが装着されたときに、不均等な応力がターンテーブルに生じることは、回避されることとなる。ターンテーブルの切欠き部が断面略湾曲状のアーチ状に形成されていれば、ターンテーブルの大幅な強度低下は、回避されることとなる。
【００３１】
請求項５に係るディスク装置は、請求項１〜４の何れか１項に記載のディスク装置において、前記ヘッドは、第一対物レンズと、該第一対物レンズに並設された第二対物レンズと、を備えることを特徴とする。
【００３２】
上記構成により、第一対物レンズと第二対物レンズとの複数の対物レンズを備えたヘッドが用いられても、複数の対物レンズを備えるヘッドがターンテーブルに干渉するということは回避される。複数の対物レンズを備えるヘッドがターンテーブルに干渉することを回避させる干渉回避部が、ディスク装置に備えられているので、第一対物レンズと第二対物レンズとの複数の対物レンズを備えたヘッドが、ターンテーブルに最も近付けられても、複数の対物レンズを備えるヘッドがターンテーブルに接触するということは回避される。
【００３３】
請求項６に係るディスク装置は、請求項５に記載のディスク装置において、前記ターンテーブルに装着された前記ディスクのラジアル方向に略沿って、前記第一対物レンズと、前記第二対物レンズと、が並設されたことを特徴とする。
【００３４】
上記構成により、ディスクのラジアル方向に略沿って並設された第一対物レンズと第二対物レンズとの複数の対物レンズを備えるヘッドが、ターンテーブルに干渉するということは回避される。ディスクのラジアル方向に略沿って、第一対物レンズと第二対物レンズとの複数の対物レンズがヘッドに装備されても、ディスク装置に備えられた干渉回避部により、ディスクのラジアル方向に略沿って並設された複数の対物レンズを備えるヘッドがターンテーブルに接触するということは回避される。
【００３５】
請求項７に係るディスク装置は、請求項１〜６の何れか１項に記載のディスク装置において、前記ターンテーブルが回転させられたときに、該ターンテーブルの回転によって前記ヘッドを冷却させる冷却促進部を備えることを特徴とする。
【００３６】
上記構成により、熱によるヘッドの動作不良の発生は、回避され易くなる。ターンテーブルの回転によってヘッドを冷却させる冷却促進部がディスク装置に備えられているので、ヘッドが過熱され、これに起因してヘッドに動作不良が生じるということは、回避され易くなる。
【００３７】
請求項８に係るディスク装置は、請求項７に記載のディスク装置において、前記冷却促進部は、前記ターンテーブルに形成された溝を備えることを特徴とする。
【００３８】
上記構成により、ヘッドは、効率よく冷まされ易くなる。ターンテーブルに冷却促進用の溝が形成されているので、ヘッドに熱が蓄積され続けるということは、回避され易くなる。従って、熱によりヘッドの動作が安定しないといった不具合の発生は、回避され易くなる。
【発明の効果】
【００３９】
以上の如く、請求項１に記載の発明によれば、ターンテーブルにヘッドが干渉するということを回避させることができる。ターンテーブルにヘッドが干渉することを回避させる干渉回避部が、ディスク装置に備えられているので、ターンテーブルにヘッドが最も近付けられても、ターンテーブルにヘッドが接触するということは回避される。
【００４０】
請求項２に記載の発明によれば、例えば各種性能が犠牲にされてヘッドが小型／薄肉化され、その結果、無理な設計仕様によるヘッドが構成されるということを回避させることができる。ターンテーブルにヘッドが干渉することを回避させる干渉回避部は、ターンテーブルに設けられているので、干渉回避部のためにヘッドの設計仕様に影響が及ぼされるということはない。ヘッドに要求される各種性能を確保でき、しかも、ターンテーブルにヘッドが接触するということも回避させることができる。
【００４１】
請求項３に記載の発明によれば、ターンテーブルの大幅な強度低下を回避させ易くすることができる。ターンテーブルを単に小型／薄肉化させるのではなく、ターンテーブルの第二面部と、ターンテーブルの第一面部に対して略平行な第三面部とが交差する角部が切り欠かれて、ターンテーブルに干渉回避用の切欠き部が形成されたので、著しくターンテーブルの強度が低下するということは回避され、ターンテーブルに必要とされる強度は、確保され易くなる。
【００４２】
請求項４に記載の発明によれば、ターンテーブルの大幅な強度低下をさらに回避させ易くすることができる。ターンテーブルの第二面部と第三面部とが交差する角部が切り欠かれて形成された切欠き部は、断面略湾曲状のアーチ状とされているので、ターンテーブルにディスクが装着されたときに、不均等な応力がターンテーブルに生じることは回避される。ターンテーブルの切欠き部が断面略湾曲状のアーチ状に形成されていれば、ターンテーブルの大幅な強度低下は回避される。
【００４３】
請求項５に記載の発明によれば、第一対物レンズと第二対物レンズとの複数の対物レンズを備えたヘッドが用いられても、複数の対物レンズを備えるヘッドがターンテーブルに干渉するということを回避させることができる。複数の対物レンズを備えるヘッドがターンテーブルに干渉することを回避させる干渉回避部が、ディスク装置に備えられているので、第一対物レンズと第二対物レンズとの複数の対物レンズを備えたヘッドが、ターンテ
ーブルに最も近付けられても、複数の対物レンズを備えるヘッドがターンテーブルに接触するということは回避される。
【００４４】
請求項６に記載の発明によれば、ディスクのラジアル方向に略沿って並設された第一対物レンズと第二対物レンズとの複数の対物レンズを備えるヘッドが、ターンテーブルに干渉するということを、回避させることができる。ディスクのラジアル方向に略沿って、第一対物レンズと第二対物レンズとの複数の対物レンズがヘッドに装備されても、ディスク装置に備えられた干渉回避部により、ディスクのラジアル方向に略沿って並設された複数の対物レンズを備えるヘッドがターンテーブルに接触するということは回避される。
【００４５】
請求項７に記載の発明によれば、熱によるヘッドの動作不良の発生を回避させ易くすることができる。ターンテーブルの回転によってヘッドを冷却させる冷却促進部がディスク装置に備えられているので、ヘッドが過熱され、これに起因してヘッドに動作不良が生じるということは、回避され易くなる。
【００４６】
請求項８に記載の発明によれば、ヘッドを効率よく冷ませ易くすることができる。ターンテーブルに冷却促進用の溝が形成されているので、ヘッドに熱が蓄積され続けるということは、回避され易くなる。従って、熱によりヘッドの動作が安定しないといった不具合の発生を回避させ易くすることができる。
【発明を実施するための最良の形態】
【００４７】
以下に本発明に係るディスク装置の一実施の形態を図面に基づいて詳細に説明する。
【００４８】
図１は、本発明に係るディスク装置の一実施の形態を示す説明図、図２は、ディスク装置のターンテーブルにヘッドが最も近付けられた状態を示す説明図、図３は、ディスク装置のターンテーブルからヘッドが離された状態を示す説明図、図４は、ディスク装置のターンテーブルの表面側を示す斜視図、図５は、ディスク装置のターンテーブルの裏面側を示す斜視図である。
【００４９】
図１〜図３における断面部分は、便宜上、示されたものとされている。また、クランプ装置３（図１）が位置する側を光ディスク装置１の上側とし、基板３０が位置する側を光ディスク装置１の下側とする。なお、この明細書における「上」、「下」の定義は、光ディスク装置１を説明するための便宜上の定義とされている。例えば図１に示す光ディスク装置１が使用されるときに、光ディスク装置１が略９０°の略縦向きに置かれて、光ディスク装置１が略縦置き状態で使用されてもよい。
【００５０】
光ディスク装置１（図１〜図３）に各種光ディスクなどの各種ディスクが装備される。光ディスク装置１に装備される各種光ディスク１００（図１）等は、円板状に形成されている。ディスクとして、例えば、「ＣＤ−ＲＯＭ」，「ＤＶＤ−ＲＯＭ」，「ＨＤ  ＤＶＤ−ＲＯＭ」，「ＢＤ−ＲＯＭ」等のデータ読出し専用の光ディスクや、「ＣＤ−Ｒ」，「ＤＶＤ−Ｒ」，「ＤＶＤ＋Ｒ」，「ＨＤ  ＤＶＤ−Ｒ」，「ＢＤ−Ｒ」等のデータ追記型の光ディスクや、「ＣＤ−ＲＷ」，「ＤＶＤ−ＲＷ」，「ＤＶＤ＋ＲＷ」（登録商標），「ＤＶＤ−ＲＡＭ」，「ＨＤ  ＤＶＤ−ＲＷ」，「ＨＤ  ＤＶＤ−ＲＡＭ」，「ＢＤ−ＲＥ」等のデータ書込み／消去やデータ書換え可能なタイプの光ディスクなどが挙げられる。
【００５１】
また、ディスクとして、例えばディスク両面に信号面が設けられ、データ書込み／消去やデータ書換えが可能とされた光ディスク（図示せず）等も挙げられる。また、ディスクとして、例えば二層の信号面が設けられ、データ書込み／消去やデータ書換えが可能とされた光ディスク（図示せず）等も挙げられる。また、例えば三層の信号面が設けられ、デ
ータ書込み／消去やデータ書換えが可能とされた「ＨＤ  ＤＶＤ」用光ディスク（図示せず）等も挙げられる。また、例えば四層の信号面が設けられ、データ書込み／消去やデータ書換えが可能とされた「Blu-ray Disc」用光ディスク（図示せず）等も挙げられる。また、例えばディスクのレーベル面側にもレーザ光を照射させてレーベル等の各種書込みを行うことが可能とされた光ディスク（図示せず）等も挙げられる。
【００５２】
光ディスク装置１は、前記各種ディスクに対応可能とされている。光ディスク装置１が用いられて、各種光ディスクに記録された情報などのデータ再生が行われる。また、光ディスク装置１が用いられて、各種光ディスクに情報などのデータ記録が行われる。
【００５３】
光ディスク装置１（図１）のドライブ装置２に装備される略円板状の光ディスク１００の各種部分は、規格により、光ディスク１００の定められた位置に設けられている。詳しく説明すると、規格により、光ディスク１００の中心部１５０に丸孔１６０が形成されている。また、光ディスク１００には、光ディスク１００がドライブ装置２の略円環状クランパ４０に挟み込まれる略平面円環状クランプエリア１４０が、規格にて定められた位置に形成されている。また、規格により、光ディスク１００には、略平面円環状パワーキャリブレーションエリア（ＰＣＡ）１２０などが、略平面円環状クランプエリア１４０の外周側直近に設けられている。
【００５４】
また、光ディスク装置１にてデータなどの情報の記録が可能な光ディスク１００（図１）においては、光ディスク１００の信号面部１１０に、データ／情報が保存されるためのグルーブ（図示せず）が設けられている。グルーブ（groove）とは、細長いへこみを意味する。円板状光ディスク１００が平面視されたときに、グルーブは、略螺旋状に形成されている。光ディスク１００の信号面部１１０側から光ディスク１００を眺めたときに、グルーブは、渦巻状のものとされる。グルーブは、非常に小さいものとされているので、グルーブは、目視不能とされる。図１において、便宜上、二点鎖線を用いて、光ディスク１００の信号面部１１０を示した。
【００５５】
光ディスクについて説明する。「ＣＤ」は、「Compact Disc」（商標）の略称とされている。また、「ＤＶＤ」（登録商標）は、「Digital Versatile Disc」の略称とされている。また、「ＣＤ−ＲＯＭ」、「ＤＶＤ−ＲＯＭ」及び「ＨＤ  ＤＶＤ−ＲＯＭ」の「ＲＯＭ」は、「Read Only Memory」の略称とされている。また、「ＢＤ−ＲＯＭ」は、「Blu-ray Disc-ROM」の略称とされている。「ＣＤ−ＲＯＭ」、「ＤＶＤ−ＲＯＭ」、「ＨＤ
ＤＶＤ−ＲＯＭ」及び「ＢＤ−ＲＯＭ」は、データ／情報読出し専用のものとされている。また、「ＣＤ−Ｒ」、「ＤＶＤ−Ｒ」、「ＤＶＤ＋Ｒ」及び「ＨＤ  ＤＶＤ−Ｒ」の「Ｒ」は、「Recordable」の略称とされている。また、「ＢＤ−Ｒ」は、「Blu-ray Disc-R」の略称とされている。「ＣＤ−Ｒ」、「ＤＶＤ−Ｒ」、「ＤＶＤ＋Ｒ」、「ＨＤ  ＤＶＤ−Ｒ」及び「ＢＤ−Ｒ」は、データ／情報の書込みが可能なものとされている。また、「ＣＤ−ＲＷ」、「ＤＶＤ−ＲＷ」、「ＤＶＤ＋ＲＷ」及び「ＨＤ  ＤＶＤ−ＲＷ」の「ＲＷ」は、「Re-Writable」の略称とされている。また「ＢＤ−ＲＥ」は、「Blu-ray Disc-RE」の略称とされている。「ＣＤ−ＲＷ」、「ＤＶＤ−ＲＷ」、「ＤＶＤ＋ＲＷ」、「ＨＤ  ＤＶＤ−ＲＷ」及び「ＢＤ−ＲＥ」は、データ／情報の書換えが可能なものとされている。また、「ＤＶＤ−ＲＡＭ」及び「ＨＤ  ＤＶＤ−ＲＡＭ」の「ＲＡＭ」は、「Random Access Memory」の略称とされている。「ＤＶＤ−ＲＡＭ」及び「ＨＤ  ＤＶＤ−ＲＡＭ」は、データ／情報の読み書き／消去が可能なものとされている。
【００５６】
また、「ＨＤ  ＤＶＤ」（登録商標）は「High Definition DVD」の略称とされている。「ＨＤ  ＤＶＤ」は、従来のＤＶＤ系列のものと互換性をもたせ、且つ、従来のＤＶＤ系列のディスクよりも記憶容量の大きいものとされている。従来のＣＤには、赤外レーザが用いられていた。また、従来のＤＶＤには、赤色レーザが用いられていた。しかしなが
ら、「ＨＤ  ＤＶＤ」の光ディスクに記録されたデータ／情報が読み出されるときや、「ＨＤ  ＤＶＤ」の光ディスクにデータ／情報が書き込まれるときには、青紫色レーザが用いられる。また、「Blu-ray」とは、従来の信号の読み書きに用いられていた赤色のレーザに対し、高密度記録が実現されるために採用された青紫色のレーザを意味する。
【００５７】
光学式ヘッド装置５０（図１〜図３）は、前記各種光ディスクに記録されたデータを再生させたり、前記書込み可能もしくは書換え可能な各種光ディスクにデータを記録させたりするものとされている。光学式ヘッド装置５０は、ＣＤ系のディスクと、ＤＶＤ系のディスクと、Blu-ray Disc系のディスクとに対応したものとされている。このように、光学式ヘッド装置５０は、複数のディスクに対応したものとされている。
【００５８】
ターンテーブル１０とターンテーブル１０に対向するクランパ４０とを備えたクランプ装置３が用いられて、ターンテーブル１０とクランパ４０との間に、中心部１５０に丸孔１６０が形成された光ディスク１００が、位置決めされた状態で確実に挟み込まれる。ドライブ装置２のターンテーブル１０の中心軸と、光ディスク１００の中心軸とが略一致した状態で、ドライブ装置２のターンテーブル１０の略円環状表面部１１上に光ディスク１００が装着され、そののちに、光ディスク１００の中心軸および／またはドライブ装置２のターンテーブル１０の中心軸と、クランプ装置３のクランパ４０の中心軸とが略一致した状態で、光ディスク１００上にクランプ装置３のクランパ４０の略円環状ディスク押圧面部４１が押し当てられて、ドライブ装置２およびクランプ装置３に光ディスク１００が精度よく装備される。ドライブ装置２のスピンドルモータ２０上に設けられたターンテーブル１０は、光ディスク１００の調芯と、光ディスク１００の高速回転の安定化確保といった機能を兼ね備えたものとされている。
【００５９】
光学式ヘッド装置５０により、光ディスク１００から信号が読み出されたり、光ディスク１００に対して信号の書込み／書換え／消去が行われたりする状態について説明する。光学式ヘッド装置５０の発光素子から小さいパワーのレーザ光が出射され、対物レンズ６１によりレーザ光が絞り込まれ、レーザ光の焦点が光ディスク１００の信号面部１１０に照射されることにより、光ディスク１００の信号面部１１０からデータ等の情報の読取りが行われる。また、光学式ヘッド装置５０の発光素子から大きいパワーのレーザ光が出射され、対物レンズ６１によりレーザ光が絞り込まれ、レーザ光の焦点が光ディスク１００の信号面部１１０に照射されることにより、光ディスク１００の信号面部１１０に対し、データ等の情報の書込み／書換え／消去が行われる。
【００６０】
光学式ヘッド装置５０に装備された第一発光素子（図示せず）から、例えば波長が約３５０〜４５０ｎｍ（ナノメータ）、基準とされる波長が略４０５ｎｍの青紫色レーザ光が出射される。第一発光素子は、「ＨＤ  ＤＶＤ」用および「Blu-ray Disc」用のレーザ光を出射可能なレーザダイオードとされている。「ＨＤ  ＤＶＤ」用および「Blu-ray Disc」用のレーザ光は、例えば第一レーザ光とされる。光学式ヘッド装置１の第一対物レンズ６１によって絞られた第一レーザ光は、第一光ディスク１００の信号面部１１０に照射される。第一光ディスク１００の信号面部１１０は、例えば金属薄膜などの金属層等により形成されている。金属薄膜などから形成される層の信号面部１１０に、情報やデータなどが記録される。なお、この場合の第一光ディスク１００は、「Blu-ray Disc」規格に基づいた光ディスク１００とされる。
【００６１】
また、「ＨＤ  ＤＶＤ」規格に基づいた光ディスク（図示せず）に青紫色レーザ光が照射されるときに、光学式ヘッド装置５０に装備された第一発光素子（図示せず）から、例えば波長が約３５０〜４５０ｎｍ（ナノメータ）、基準とされる波長が略４０５ｎｍの青紫色レーザ光が出射される。このときの青紫色レーザ光は、光学式ヘッド装置１の第二対物レンズ６２を透過する。光学式ヘッド装置１の第二対物レンズ６２によって絞られた第
一レーザ光は、「ＨＤ  ＤＶＤ」規格に基づく不図示の光ディスクの信号面部（図示せず）に照射される。「ＨＤ  ＤＶＤ」規格に基づく光ディスクの信号面部も、例えば金属薄膜などの金属層等により形成されている。金属薄膜などから形成される層の信号面部（図示せず）に、情報やデータなどが記録される。
【００６２】
また、光学式ヘッド装置５０に装備された第二発光素子（図示せず）から、例えば波長が約６３０〜６８５ｎｍ、基準とされる波長が略６３５ｎｍまたは略６５０ｎｍの赤色レーザ光が出射される。第二発光素子は、ＤＶＤ用のレーザ光を出射可能なレーザダイオードとされている。ＤＶＤ用のレーザ光は、例えば第二レーザ光とされる。光学式ヘッド装置１の第二対物レンズ６２によって絞られた第二レーザ光は、第二光ディスク（図示せず）の信号面部（図示せず）に照射される。第二光ディスクの信号面部も、例えば金属薄膜などの金属層等により形成されている。金属薄膜などから形成される層の信号面部（図示せず）に、情報やデータなどが記録される。なお、「ＨＤ  ＤＶＤ」規格に基づく光ディスクと、「ＤＶＤ」規格に基づく光ディスクとは、共通した部分が多く一部互換性を有することから、便宜上「ＨＤ  ＤＶＤ」規格に基づく光ディスクを第二光ディスクに含める。
【００６３】
また、光学式ヘッド装置５０に装備された第三発光素子（図示せず）から、例えば波長が約７６５〜８３０ｎｍ、基準とされる波長が略７８０ｎｍの赤外レーザ光が出射される。第三発光素子は、ＣＤ用のレーザ光を出射可能なレーザダイオードとされている。ＣＤ用のレーザ光は、例えば第三レーザ光とされる。光学式ヘッド装置１の第二対物レンズ６２によって絞られた第三レーザ光は、第三光ディスク（図示せず）の信号面部（図示せず）に照射される。第三光ディスクの信号面部も、例えば金属薄膜などの金属層等により形成されている。金属薄膜などから形成される層の信号面部（図示せず）に、情報やデータなどが記録される。
【００６４】
第一対物レンズ６１と第二対物レンズ６２とが装着された合成樹脂製のレンズホルダ７０や、各発光素子などの各種部品は、光学式ヘッド装置５０を構成する金属製／樹脂製のハウジング９０に内装されている。
【００６５】
第一光ディスク１００の信号面部１１０にレーザ光が照射されて第一光ディスク１００の信号面部１１０に光スポットが形成されるときに、光学式ヘッド装置５０の第一対物レンズ６１は、フォーカス方向Ｄｆに略沿って微調整されつつ動かされる。また、そのときに、第一対物レンズ６１は、第一光ディスク１００のラジアル方向Ｄｒに略沿って微調整されつつ動かされる。
【００６６】
また、不図示の第二／第三光ディスクの信号面部にレーザ光が照射されて不図示の第二／第三光ディスクの信号面部に光スポットが形成されるときに、光学式ヘッド装置５０の第二対物レンズ６２は、フォーカス方向Ｄｆに略沿って微調整されつつ動かされる。また、そのときに、第二対物レンズ６２は、不図示の第二／第三光ディスクのラジアル方向Ｄｒに略沿って微調整されつつ動かされる。
【００６７】
フォーカスとは、焦点やピントを意味する。また、フォーカシングとは、焦点を合わせることや、焦点が合わせられることを意味する。また、トラッキングとは、光を用いて、光ディスク１００の信号面部１１０に設けられた微小な不図示のピット（穴、凹み）、不図示のグルーブ（溝）、不図示のウォブル（蛇行）などを追跡観測し、略螺旋状に描かれた不図示の軌道の位置を定めることを意味する。微小なピット（穴、凹み）やグルーブ（溝）等が光ディスク１００のタンジェンシャル方向Ｄｔに略沿って配設／延設されて、略螺旋状の軌道が光ディスク１００に形成される。
【００６８】
不図示の各発光素子から例えば０．２〜５００ｍＷ（ミリワット）、具体的には２〜４００ｍＷの出力値のレーザ光が出射される。例えば０．２ｍＷ未満の出力値のレーザ光とされた場合、Blu-ray Disc系列やＤＶＤ系列やＣＤ系列の各光ディスク１００等に照射されたのちに反射されるレーザ光の光量が不足する。Blu-ray Disc系列やＤＶＤ系列やＣＤ系列の各光ディスク１００等の各データ等を再生させるときには、例えば２〜２０ｍＷ程度という数〜数十ｍＷの出力値のレーザ光で十分とされる。Blu-ray Disc系列やＤＶＤ系列やＣＤ系列の各光ディスク１００等に各データ等を書き込むときには、数十〜数百ｍＷの出力値のレーザ光が必要とされる。例えばBlu-ray Disc系列やＤＶＤ系列やＣＤ系列の各光ディスク１００等に高速で各データ等を書き込むときには、４００ｍＷや５００ｍＷ等という高い出力値のパルスレーザ光が必要とされることがある。不図示の発光素子から高い出力値のパルスレーザ光が略連続して出射されるときに、発光素子などから多くの熱が放出される。
【００６９】
光ディスク装置１において、例えば音楽鑑賞用ＣＤが再生されるときの光ディスク１００の通常回転数は、約２００〜５００ｒｐｍとされている。ｒｐｍ（revolutions per minute）とは、１分間あたりの回転数すなわち毎分回転数を意味する。例えば、ＣＤは、線速度一定方式の光ディスクとされているので、光ディスク１００の内周部１０１で音楽鑑賞用ＣＤのデータが再生されるときの光ディスク１００の通常回転数は、約５００ｒｐｍとされている。これに対し、光ディスク１００の外周部１０２で音楽鑑賞用ＣＤのデータが再生されるときの光ディスク１００の通常回転数は、約２００ｒｐｍとされている。
【００７０】
光ディスク１００の内周部１０１と、光ディスク１００の外周部１０２との間で、音楽鑑賞用ＣＤのデータが再生されるときの光ディスク１００の通常回転数は、光ディスク装置１において回転制御が行われることにより、例えば、５００ｒｐｍ、４００ｒｐｍ、３００ｒｐｍ、２００ｒｐｍというように可変する。
【００７１】
近年、光ディスク１００に記録されたデータ／情報の読出し速度や、光ディスク１００にデータ／情報を記録させるときの書込み速度や書換え速度の高速化が要求されている。光ディスク装置１は、通常のディスク回転数に対し、例えば、１倍速、２倍速、４倍速、８倍速、１２倍速、１６倍速、２０倍速、２４倍速、３２倍速、４８倍速、６４倍速のディスク回転速度で、光ディスク１００にデータ／情報を記録可能なものとされる。これらの速度は、光ディスク１００の種類などにより異なる。また、光ディスク１００にデータ／情報を記録させるときの光ディスク１００の回転方式は、線速度一定方式もしくは角速度一定方式などに基づいて行われる。
【００７２】
線速度一定方式は、ＣＬＶ方式と呼ばれている。「ＣＬＶ」は、「Constant Linear Velocity」の略称とされている。これに対し、角速度一定方式は、ＣＡＶ方式と呼ばれている。「ＣＡＶ」は、「Constant Angular Velocity」の略称とされている。
【００７３】
光ディスク装置１は、通常のディスク回転数に対し、例えば約１〜６４倍速のディスク回転速度で、光ディスク１００にデータ／情報を記録可能な光ディスク装置１とされる。例えば、ＣＤ−Ｒの光ディスク１００にデータ／情報が記録されるときに、通常のディスク回転数に対し、約４〜３２倍速のディスク回転速度で、光ディスク１００にデータ／情報を記録可能な光ディスク装置１とされることが好ましい。
【００７４】
通常のディスク回転数に対し、例えば約１倍速の速度で光ディスク１００にデータ／情報の記録が行われる場合、データの記録工程は、非常に安定した状態で行われる。従って、この光ディスク１００は、高品質なデータ記録が行われた光ディスク１００となる。
【００７５】
また、通常のディスク回転数に対し、例えば約４倍速の速度で光ディスク１００にデー
タ／情報の記録が行われる場合、データの記録工程に甚だしく時間がかけられることなく、データの記録工程は、通常の安定した状態で行われる。従って、この光ディスク１００は、通常の良好な品質のデータ記録が行われた光ディスク１００となる。また、光ディスク１００へのデータ／情報の記録作業は、異常に長い時間を要することなく通常の時間内で終了する。
【００７６】
また、通常のディスク回転数に対し、例えば約３２倍速の速度で不図示の光ディスクにデータ／情報の記録が行われる場合、データの記録工程に長い時間がかけられることなく、データの記録工程は、略安定した状態で行われる。従って、この光ディスクは、通常の品質のデータ記録が行われた光ディスクとなる。また、光ディスクへのデータ／情報の記録作業は、短い時間内で終了する。
【００７７】
また、通常のディスク回転数に対し、例えば約６４倍速の速度で不図示の光ディスクにデータ／情報の記録が行われる場合、データの記録工程は迅速に行われる。従って、光ディスクへのデータ／情報の記録作業は速やかに終了する。
【００７８】
光学式ヘッド装置５０を用いて光ディスク１００等に記録されたデータ／情報が読み出されたり、光学式ヘッド装置５０を用いて光ディスク１００等にデータ／情報を記録させたり、光ディスク１００に対する光学式ヘッド装置５０のトラックジャンプを実行させたりするときに、一対の長尺状ガイドシャフト（図示せず）に支持された光学式ヘッド装置５０は、光ディスク１００のラジアル方向Ｄｒと略一致する光学式ヘッド装置５０の往復移動方向Ｄｒに略沿って動かされる。
【００７９】
図１の如く、光ディスク１００を回転駆動させるドライブ装置２を備えた光ディスク装置１は、略円板状の光ディスク１００が装着される金属製／樹脂製ターンテーブル１０と、光ディスク１００の信号面部１１０からデータ等の信号の読取りまたは光ディスク１００の信号面部１１０に対するデータ等の信号の書込み／書換え／消去が可能とされた光学式ヘッド装置５０と、ターンテーブル１０に光学式ヘッド装置５０が干渉することを回避させる干渉回避部１５とを備えて構成されている。
【００８０】
図１〜図３に示す光ディスク装置１が構成されていれば、ターンテーブル１０に光学式ヘッド装置５０が干渉するということは回避される。ターンテーブル１０に光学式ヘッド装置５０が干渉することを回避させる干渉回避部１５が、ドライブ装置２を備える光ディスク装置１に備えられているので、ターンテーブル１０に光学式ヘッド装置５０が最も近付けられても、ターンテーブル１０に光学式ヘッド装置５０が接触するということは回避される。
【００８１】
光ディスク装置１（図１〜図３）の干渉回避部１５は、光ディスク装置１のドライブ装置２を構成するターンテーブル１０に設けられている（図１〜図５）。詳しく説明すると、光ディスク１００（図１）を回転駆動させるドライブ装置２と、ドライブ装置２に装備された光ディスク１００を挟持可能なクランプ装置３とを備えた光ディスク装置１は、ドライブ装置２の制御などを行う基板３０と、基板３０を介して流される電気により回転駆動するモータ２０と、モータ２０の回転駆動により回転すると共に略円板状の光ディスク１００が装着される樹脂製ターンテーブル１０と、基板３０とモータ２０とターンテーブル１０とを繋ぐ軸２１と、光ディスク１００の信号面部１１０からデータ等の信号の読取りまたは光ディスク１００の信号面部１１０に対するデータ等の信号の書込み／書換え／消去が可能とされた光学式ヘッド装置５０と、ターンテーブル１０と共に光ディスク１００を挟持可能なクランパ４０とを備えて構成され、ターンテーブル１０に光学式ヘッド装置５０が干渉することを回避させる干渉回避部１５は、光ディスク装置１のドライブ装置２を構成するターンテーブル１０に設けられている。
【００８２】
図１に示す光ディスク装置１が構成されていれば、例えば各種性能が犠牲にされて光学式ヘッド装置５０（図１〜図３）が小型／薄肉化され、その結果、無理な設計仕様による光学式ヘッド装置５０が構成されるということは回避される。ターンテーブル１０に光学式ヘッド装置５０が干渉することを回避させる干渉回避部１５は、光ディスク装置１のドライブ装置２を構成するターンテーブル１０に設けられているので、干渉回避部１５のために光学式ヘッド装置５０の設計仕様に影響が及ぼされるということはない。光学式ヘッド装置５０に要求される各種性能は確保され、しかも、ターンテーブル１０に光学式ヘッド装置５０が接触するということも回避される。
【００８３】
ターンテーブル１０に光学式ヘッド装置５０が干渉することを回避させる干渉回避部１５は、光ディスク装置１のドライブ装置２を構成するターンテーブル１０に設けられているので、光学式ヘッド装置５０がターンテーブル１０に最も近付けられても、光学式ヘッド装置５０の第一対物レンズ６１の近傍からターンテーブル１０に向けて突設された光学式ヘッド装置５０の突出部８０が、ターンテーブル１０に接触するという不具合の発生は回避される。
【００８４】
光ディスク１００（図１）が装着される側の面を構成するものとして形成されたターンテーブル１０（図１〜図３）の略平面円環状の表面部１１をターンテーブル１０の第一面部１１と定義する。また、ターンテーブル１０の略円筒状の側面部１２をターンテーブル１０の第二面部１２と定義する。また、ターンテーブル１０の表面部１１の反対面部とされる略平面円環状の裏面部１１をターンテーブル１０の第三面部１３と定義する。なお、この明細書におけるターンテーブル１０の第一面部１１、第二面部１２、第三面部１３の定義は、ターンテーブル１０を有するドライブ装置２を備えた光ディスク装置１を説明するための便宜上の定義とされる。
【００８５】
光ディスク装置１（図１〜図３）のドライブ装置２を構成するターンテーブル１０は、光ディスク１００（図１）が装着される側の面を構成するものとして形成された略平面円環状の表面部１１（図１〜図４）と、表面部１１に対して略直交する方向に沿って形成された略円筒状の側面部１２と、略平面円環状の表面部１１の略反対面部とされ略平面円環状の表面部１１に対して略平行に形成されると共に略円筒状の側面部１２に対して略直交する方向に沿って形成された略平面円環状の裏面部１３（図１〜図３，図５）とを備えて構成されている。光ディスク装置１（図１〜図３）の干渉回避部１５は、ターンテーブル１０を構成する略円筒状の側面部１２と略平面円環状の裏面部１３とが交差する略円環状の角部１４が切り欠かれて形成された略円環状の切欠き部１５とされている（図１〜図３，図５）。
【００８６】
このように干渉回避用の切欠き部１５がターンテーブル１０に形成されていれば、ターンテーブル１０の大幅な強度低下は、回避され易くなる。ターンテーブル１０を単に小型／薄肉化させるのではなく、ターンテーブル１０の略円筒状の側面部１２と、ターンテーブル１０における略平面円環状の表面部１１の略反対面部とされターンテーブル１０の表面部１１に対して略平行な略平面円環状の裏面部１３とが交差する略円環状の角部１４が切り欠かれて、ターンテーブル１０に干渉回避用の略円環状の切欠き部１５が形成されたので、著しくターンテーブル１０の強度が低下するということは回避され、ターンテーブル１０に必要とされる強度は、確保され易くなる。
【００８７】
図２及び図３の如く、ターンテーブル１０が断面視されたときに、ターンテーブル１０の略円環状切欠き部１５は、ターンテーブル１０に光ディスク１００（図１）が装備される側の表面部１１に対し略反対側の裏面部１３側に設けられている。具体的に説明すると、ターンテーブル１０（図２，図３）が断面視されたときに、ターンテーブル１０に設け
られた略円環状切欠き部１５は、ターンテーブル１０の略円筒状側面部１２の始端部１５ａから略平面円環状の裏面部１３の終端部１５ｂにかけて、ターンテーブル１０の内側に向けて略湾曲状にへこまされて形成されている。
【００８８】
ターンテーブル１０（図１〜図３，図５）に形成された干渉回避用の切欠き部１５は、断面略湾曲状のアーチ状に形成されている。詳しく説明すると、光ディスク装置１（図１〜図３）のドライブ装置２を構成するターンテーブル１０に形成された干渉回避用の切欠き部１５は、ターンテーブル１０の内側に向けてへこまされた断面略湾曲状の半アーチ状に形成されている（図１〜図３，図５）。
【００８９】
これにより、ターンテーブル１０の大幅な強度低下は、さらに回避され易くなる。ターンテーブル１０の略円筒状側面部１２と略平面円環状裏面部１３とが交差する略円環状角部１４が切り欠かれて形成された略円環状切欠き部１５は、ターンテーブル１０の内側に向けてへこまされた断面略湾曲状のアーチ状もしくは半アーチ状に形成されているので、ターンテーブル１０に光ディスク１００が装着されたときに、不均等な応力がターンテーブル１０に生じることは、回避されることとなる。
【００９０】
ターンテーブル１０の略円環状切欠き部１５は、ターンテーブル１０の内側に向けてへこまされた断面略湾曲状のアーチ状もしくは半アーチ状に形成されているので、ドライブ装置２のターンテーブル１０の略円環状表面部１１上に光ディスク１００が装着され、その後、光ディスク１００上にクランプ装置３のクランパ４０の略円環状ディスク押圧面部４１が押し当てられて、ドライブ装置２およびクランプ装置３に光ディスク１００が精度よく装備されたときに、ターンテーブル１０の略円環状切欠き部１５に例えば応力集中が生じるということは回避され易くなる。
【００９１】
ここで、例えばアーチ状の橋を用いてアーチ形状物について説明する。アーチ状の橋にかけられる鉛直方向の荷重のうち、大部分の力は圧縮力となる。圧縮力となった大部分の力は、アーチ状の橋の両端部における支点にまで伝えられることとなる。例えば、アーチ形状のものと、直線形状の梁とは、好対照なものとされる。直線形状の梁に鉛直方向の荷重がかけられたときに、直線形状の梁に曲げモーメントが生じると共に、直線形状の梁にせん断力が生じる。また、曲げモーメントが生じた構造物においては、構造物内に引張り力が生じる。圧縮力に強く、せん断力や引張り力に弱い構造物において、構造物をアーチ形状に形成させることは、大幅な強度低下を回避させるための有効な手法とされる。荷重を受けるものがアーチ状に形成されていれば、見かけ以上の強度が確保される。
【００９２】
ターンテーブル１０の切欠き部１５が、ターンテーブル１０の内側に向けてへこまされた断面略湾曲状のアーチ状もしくは半アーチ状に形成されていれば、ターンテーブル１０の大幅な強度低下は回避される。
【００９３】
また、ターンテーブル１０における断面略湾曲状のアーチ状もしくは半アーチ状の切欠き部１５の位置や、切欠き形状や、大きさ等を変化させることにより、光ディスク１００の振動発生が軽減され、また、ターンテーブル１０単体における面振れ精度が向上する。
【００９４】
図１の如く、略円板状ターンテーブル１０に設けられた断面略へこみ湾曲状切欠き部１５の下側周縁端部１５ｂの直径は、略円板状クランパ４０を構成する略円環状光ディスク押圧面部４１の内周縁端部４５の直径以上の直径とされている。詳しく説明すると、略円板状クランパ４０を構成する略円環状光ディスク押圧面部４１の内周縁端部４５の直径よりも、略円板状ターンテーブル１０に設けられた断面略へこみ湾曲状切欠き部１５の下側周縁端部１５ｂの直径のほうが僅かに大きい。
【００９５】
これにより、略円板状ターンテーブル１０に設けられた断面略へこみ湾曲状切欠き部１５の周辺の大幅な強度低下は回避される。略円板状ターンテーブル１０に設けられた断面略へこみ湾曲状切欠き部１５の下側周縁端部１５ｂの直径が、略円板状クランパ４０を構成する略円環状光ディスク押圧面部４１の内周縁端部４５の直径以上または内周縁端部４５の直径よりも大きく設定されていれば、略円板状ターンテーブル１０の外周側かつ下側に断面略へこみ湾曲状切欠き部１５が設けられていても、光ディスク１００を介して、略円板状クランパ４０を構成する略円環状光ディスク押圧面部４１の内周縁端部４５の略真下に位置する略円板状ターンテーブル１０のクランプ方向Ｄｆに略沿った肉厚は、薄くなることなく確保される。光ディスク１００を介して、略円板状クランパ４０を構成する略円環状光ディスク押圧面部４１の内周縁端部４５の略真下に位置するターンテーブル１０のクランプ方向Ｄｆに略沿った肉厚は、例えば略５ｍｍ（ミリメートル）とされている。
【００９６】
略円板状ターンテーブル１０の上側の略円環状表面部１１に光ディスク１００のクランプエリア１４０が接した状態でターンテーブル１０に光ディスク１００が装備されたのちに、光ディスク１００のクランプエリア１４０の上側に略円板状クランパ４０の略円環状光ディスク押圧面部４１が押し付けられて、略円板状ターンテーブル１０と略円板状クランパ４０とに光ディスク１００が挟持されたときに、光ディスク１００を介して、略円環状光ディスク押圧面部４１の内周縁端部４５の略真下に位置する略円板状ターンテーブル１０のクランプ方向Ｄｆに略沿った肉厚が確保されているので、光ディスク１００を挟む略円板状ターンテーブル１０と略円板状クランパ４０との挟持力により、略円板状ターンテーブル１０に設けられた断面略へこみ湾曲状切欠き部１５の周辺に無理な力が加えられるということは回避される。この挟持力は、例えば略１３０Ｎ（ニュートン）とされる。
【００９７】
また、略円板状クランパ４０を構成する光ディスク押圧面部４１のクランプ方向Ｄｆに略沿った肉厚と、略円板状ターンテーブル１０の断面略へこみ湾曲状切欠き部１５の周辺のクランプ方向Ｄｆに略沿った最小肉厚とは、略等しく設定され、略円板状ターンテーブル１０の断面略へこみ湾曲状切欠き部１５の周辺のクランプ方向Ｄｆに略沿った最小肉厚が確保されている。
【００９８】
これらのことから、ターンテーブル１０に大幅な強度低下が生じ、これに起因してターンテーブル１０が損傷するという不具合の発生は回避される。
【００９９】
光ディスク装置１（図１〜図３）に装備された光学式ヘッド装置５０は、第一レーザ光を絞り込んで第一種光ディスク１００の信号面部１１０に照射させる第一対物レンズ６１と、第一対物レンズ６１に並設され第二レーザ光を絞り込んで第二種光ディスク（図示せず）の信号面部（図示せず）に照射させる第二対物レンズ６２との二つの対物レンズ６１，６２を備えて構成されている。
【０１００】
図１〜図３に示す光ディスク装置１のドライブ装置２が構成されていれば、第一対物レンズ６１と第二対物レンズ６２との二つの対物レンズ６１，６２を備えた光学式ヘッド装置５０が光ディスク装置１に用いられても、二つの対物レンズ６１，６２を備える光学式ヘッド装置５０がターンテーブル１０に干渉するということは回避される。二つの対物レンズ６１，６２を備える光学式ヘッド装置５０がターンテーブル１０に干渉することを回避させる略円環状の切欠き部１５が、光ディスク装置１のドライブ装置２を構成するターンテーブル１０に設けられているので、第一対物レンズ６１と第二対物レンズ６２との二つの対物レンズ６１，６２を備えた光学式ヘッド装置５０が、ターンテーブル１０に最も近付けられても、二つの対物レンズ６１，６２を備える光学式ヘッド装置５０の突出部８０がターンテーブル１０に接触するということは回避される。
【０１０１】
ターンテーブル１０に装着された光ディスク１００（図１）のラジアル方向Ｄｒに略沿
って、光学式ヘッド装置５０（図１〜図３）を構成するレンズホルダ７０に、第一対物レンズ６１と、第二対物レンズ６２との複数の対物レンズ６１，６２が略直列状に並設されている。
【０１０２】
図１〜図３に示す光ディスク装置１のドライブ装置２が構成されていれば、光ディスク１００のラジアル方向Ｄｒに略沿って並設された第一対物レンズ６１と第二対物レンズ６２との複数の対物レンズ６１，６２を備える光学式ヘッド装置５０が、ターンテーブル１０に干渉するということは回避される。光ディスク１００のラジアル方向Ｄｒに略沿って、第一対物レンズ６１と第二対物レンズ６２との複数の対物レンズ６１，６２が略直列状にレンズホルダ７０に並設され、このように構成されたレンズホルダ７０が光学式ヘッド装置５０に装備されても、光ディスク装置１を構成するドライブ装置２のターンテーブル１０に設けられた略円環状の切欠き部１５により、光ディスク１００のラジアル方向Ｄｒに略沿って略直列状に並設された複数の対物レンズ６１，６２を備える光学式ヘッド装置５０がターンテーブル１０に接触するということは回避される。
【０１０３】
詳しく説明すると、不図示の一対の長尺状ガイドシャフトに支持された光学式ヘッド装置５０の往復移動方向Ｄｒに略沿って、光学式ヘッド装置５０を構成するレンズホルダ７０に、第一対物レンズ６１と、第二対物レンズ６２との二つの対物レンズ６１，６２が略直列状に並設されている。
【０１０４】
図１〜図３に示す光ディスク装置１のドライブ装置２が構成されていれば、光学式ヘッド装置５０の往復移動方向Ｄｒに略沿って並設された第一対物レンズ６１と第二対物レンズ６２との二つの対物レンズ６１，６２を備える光学式ヘッド装置５０が、ターンテーブル１０に干渉するということは回避される。光学式ヘッド装置５０の往復移動方向Ｄｒに略沿って、第一対物レンズ６１と第二対物レンズ６２との二つの対物レンズ６１，６２が略直列状にレンズホルダ７０に並設され、このように構成されたレンズホルダ７０が光学式ヘッド装置５０に装備されても、光ディスク装置１を構成するドライブ装置２のターンテーブル１０に設けられた略円環状の切欠き部１５により、光学式ヘッド装置５０の往復移動方向Ｄｒに略沿って略直列状に並設された二つの対物レンズ６１，６２を備える光学式ヘッド装置５０がターンテーブル１０に接触するということは回避される。
【０１０５】
例えば光学式ヘッド装置５０が「Blu-ray Disc」規格の光ディスク１００に対応するために、青紫色レーザ光とされる第一レーザ光が出射可能な第一対物レンズ６１は、光ディスク１００の内周部１０１に対応して、光学式ヘッド装置５０のディスク内周側に位置する。また、赤色レーザ光とされる第二レーザ光が出射可能とされ且つ赤外レーザ光とされる第三レーザ光が出射可能な第二対物レンズ６２は、第一対物レンズ６１に対し光学式ヘッド装置５０の往復移動方向Ｄｒに略沿って並ばされて第一対物レンズ６１よりも光学式ヘッド装置５０のディスク外側に位置する。
【０１０６】
光ディスク装置（１）や光ディスク装置（１）に装備される光学式ヘッド装置（５０）の設計／仕様等により、光学式ヘッド装置（５０）の第一対物レンズ（６１）と、光学式ヘッド装置（５０）の第二対物レンズ（６２）とが、例えばディスク半径方向（Ｄｒ）に直交する方向であってフォーカス方向（Ｄｆ）に直交する方向とされるタンジェンシャル方向（Ｄｔ）に略沿って並設されていてもよい。この明細書における符号に付けられた括弧（  ）は、図示されたものと若干異なるものを説明するために、便宜上、用いられている。
【０１０７】
光ディスク装置１（図１〜図３）を構成するドライブ装置２のスピンドルモータ２０は、回路基板３０に取り付けられている。また、スピンドルモータ２０は、回路基板３０に通電可能に接続されている。回路基板３０に通電可能に接続されたスピンドルモータ２０
に電気が流されることにより、スピンドルモータ２０の回転軸２１に固定されたターンテーブル１０が回転させられる。例えば、スピンドルモータ２０（図２，図３）の回転軸２１が、ターンテーブル１０（図２〜図５）の中心部１６の固定孔１６ａに圧入嵌合されることにより、スピンドルモータ２０の回転軸２１にターンテーブル１０が固定される（図１〜図３）。
【０１０８】
回路基板３０に通電可能に接続されたスピンドルモータ２０に電気が流されることにより、スピンドルモータ２０の回転軸２１に固定されたターンテーブル１０が回転させられたときに、ターンテーブル１０の回転によって発生された空気の流れにより光学式ヘッド装置５０を冷却させる冷却促進部１８（図５）が、ターンテーブル１０の裏面部１３側に設けられている。
【０１０９】
このようにターンテーブル１０が形成されていれば、熱による光学式ヘッド装置５０の動作不良の発生は、回避され易くなる。スピンドルモータ２０の回転軸２１に固定されたターンテーブル１０の回転によって発生された空気の流れにより光学式ヘッド装置５０を冷却させる冷却促進部１８が、光ディスク装置１を構成するターンテーブル１０の裏面部１３側に設けられているので、光学式ヘッド装置５０が過熱され、これに起因して光学式ヘッド装置５０に動作不良が生じるということは、回避され易くなる。
【０１１０】
ターンテーブル１０（図５）の裏面部１３側に設けられた冷却促進部１８は、ターンテーブル１０の裏面部１３側において、ターンテーブル１０の略中心部１６からターンテーブル１０の外周縁部１７にかけて形成された略湾曲放射状の複数の空冷溝１８ａを備えて構成される。
【０１１１】
このようにターンテーブル１０に複数の空冷溝１８ａが形成されていれば、光ディスク装置１の光学式ヘッド装置５０は、効率よく冷まされ易くなる。ターンテーブル１０の裏面部１３側に、ターンテーブル１０の略中心部１６からターンテーブル１０の外周縁部１７にかけて延びる略湾曲放射状の冷却促進用の空冷溝１８ａが複数形成されているので、スピンドルモータ２０によってターンテーブル１０が回転させられることにより発生される空気の流れにより、光学式ヘッド装置５０に熱が蓄積され続けるということは、回避され易くなる。従って、熱により光学式ヘッド装置５０の動作が安定しないといった不具合の発生は、回避され易くなる。
【０１１２】
ターンテーブル１０の各空冷溝１８ａは、ターンテーブル１０の略中心部１６近傍の奥端部１８ｂからターンテーブル１０の外周縁部１７近傍の開放部１８ｃにかけて、ターンテーブル１０に穿設されている。また、ターンテーブル１０の各空冷溝１８ａの開放部１８ｃは、干渉回避部１５とされる切欠き部１５に続いている。
【０１１３】
射出成形が可能であって熱可塑性の耐熱性合成樹脂材料が基材として用いられてターンテーブル１０が形成される。射出成形が可能であって熱可塑性の耐熱性合成樹脂材料として、例えば、ポリフェニレンサルファイド（poly phenylene sulfide：ＰＰＳ）樹脂などのポリアリーレンサルファイド（poly arylene sulfide：ＰＡＳ）系樹脂や、ポリカーボネート（polycarbonate：ＰＣ）系樹脂などが挙げられる。
【０１１４】
射出成形が可能であって熱可塑性の耐熱性合成樹脂材料が基材として用いられてターンテーブル１０が形成されていれば、図４および図５の如く、複雑な形状のターンテーブル１０とされていても、ターンテーブル１０は効率よく安価に大量生産される。熱可塑性の合成樹脂材料が基材として用いられて射出成形法に基づきターンテーブル１０が形成されることにより、ターンテーブル１０は効率よく大量に生産される。
【０１１５】
これにより、ターンテーブル１０の価格低減化が図られる。ターンテーブル１０の価格低減化が図られることにより、ターンテーブル１０を備える光ディスク装置１の価格低減化が図られる。
【０１１６】
ターンテーブル１０を形成する耐熱性合成樹脂材料／組成物について説明すると、例えば、「ＡＳＴＭ  Ｄ−７９０」または「ＪＩＳ  Ｋ  ７１７１／ＩＳＯ  １７８」に基づく曲げ強さ／曲げ強度が、略５０ＭＰａ以上、好ましくは略１２０ＭＰａ以上、より好ましくは略１６０ＭＰａ以上、略４９０ＭＰａ以下の耐熱性合成樹脂材料／組成物が用いられて、ターンテーブル１０が形成されるとよい。
【０１１７】
前記曲げ強さ／曲げ強度が略５０ＭＰａ以上の耐熱性合成樹脂材料／組成物が用いられてターンテーブル１０が形成されることにより、例えば切欠き部１５が形成されたターンテーブル１０の大幅な強度低下は、回避され易くなるものと期待される。また、前記曲げ強さ／曲げ強度が略１２０ＭＰａ以上の耐熱性合成樹脂材料／組成物が用いられてターンテーブル１０が形成されることにより、例えば切欠き部１５が形成されたターンテーブル１０の大幅な強度低下は略回避される。また、前記曲げ強さ／曲げ強度が略１６０ＭＰａ以上の耐熱性合成樹脂材料／組成物が用いられてターンテーブル１０が形成されることにより、例えば切欠き部１５が形成されたターンテーブル１０の大幅な強度低下は確実に回避される。
【０１１８】
なお、耐熱性合成樹脂材料／組成物における前記曲げ強さ／曲げ強度の上限値は、例えば略４９０ＭＰａ程度とされる。前記曲げ強さ／曲げ強度が略４９０ＭＰａ程度とされた耐熱性合成樹脂材料／組成物として、例えば全芳香族ポリイミド（polyimide：ＰＩ）樹脂を含有する組成物等が挙げられる。
【０１１９】
また、耐熱性合成樹脂材料が基材として用いられてターンテーブル１０が形成されることにより、例えば光学式ヘッド装置５０の不図示の発光素子などから生じる熱にターンテーブル１０が曝されても、例えばターンテーブル１０に熱変形が生じるということは回避される。
【０１２０】
例えば、「ＡＳＴＭ  Ｄ−６４８」（１．８ＭＰａ）または「ＪＩＳ  Ｋ  ７１９１−１／ＩＳＯ  ７５−１」（１．８ＭＰａ）もしくは「ＪＩＳ  Ｋ  ７１９１−１／ＩＳＯ
７５−２」（１．８ＭＰａ）に基づく荷重たわみ温度が、略９０℃以上、好ましくは略１４０℃以上、より好ましくは略２６０℃以上、略３６０℃以下の耐熱性合成樹脂材料／組成物が用いられて、ターンテーブル１０が形成されるとよい。
【０１２１】
前記荷重たわみ温度が略９０℃以上の耐熱性合成樹脂材料／組成物が用いられてターンテーブル１０が形成されることにより、例えば光学式ヘッド装置５０の発光素子などから生じる熱にターンテーブル１０が曝されても、例えばターンテーブル１０に熱変形が生じるということは、回避され易くなるものと期待される。また、前記荷重たわみ温度が略１４０℃以上の耐熱性合成樹脂材料／組成物が用いられてターンテーブル１０が形成されることにより、例えば光学式ヘッド装置５０の発光素子などから生じる熱にターンテーブル１０が曝されても、例えばターンテーブル１０に熱変形が生じるということは略回避される。また、前記荷重たわみ温度が略２６０℃以上の耐熱性合成樹脂材料／組成物が用いられてターンテーブル１０が形成されることにより、例えば光学式ヘッド装置５０の発光素子などから生じる熱にターンテーブル１０が曝されても、例えばターンテーブル１０に熱変形が生じるということは確実に回避される。
【０１２２】
なお、耐熱性合成樹脂材料／組成物における前記荷重たわみ温度の上限値は、例えば略３６０℃程度とされる。前記荷重たわみ温度が略３６０℃程度とされた耐熱性合成樹脂材
料／組成物として、例えば全芳香族ＰＩを含有する組成物等が挙げられる。
【０１２３】
ターンテーブル１０を構成する材料について詳しく説明すると、ターンテーブル１０は、例えば、射出成形性、機械的特性、寸法安定性などに優れ、さらに鉄材などよりも軽量化が可能とされるＰＰＳ等のＰＡＳが基材として用いられて形成される。ＰＰＳを基材とした組成物として、例えば大日本インキ化学工業社製：ＤＩＣ（登録商標）等が挙げられる。具体的なＰＰＳを基材とした組成物として、例えばガラス繊維３０％強化の大日本インキ化学工業社製：「ＤＩＣ・ＰＰＳ＿ＦＺ−２１３０」等が挙げられる。「ＡＳＴＭ  Ｄ−７９０」に基づく「ＤＩＣ・ＰＰＳ＿ＦＺ−２１３０」の曲げ強さは、略２５０ＭＰａとされている。また、「ＡＳＴＭ  Ｄ−６４８」（１．８２ＭＰａ）に基づく「ＤＩＣ・ＰＰＳ＿ＦＺ−２１３０」の荷重たわみ温度は、略２６５℃とされている。
【０１２４】
また、ターンテーブル１０は、例えば、加工性などに優れ、価格低減化が図られ、さらに鉄材などよりも軽量化が可能とされるＰＣが基材として用いられて形成される。ＰＣを基材とした組成物として、例えば出光興産社製：タフロン（登録商標）等が挙げられる。具体的なＰＣを基材とした組成物として、例えばガラス繊維強化タイプの出光興産社製：タフロンＧ−２５１０等が挙げられる。「ＪＩＳ  Ｋ  ７１７１／ＩＳＯ  １７８」に基づくタフロンＧ−２５１０の曲げ強さは、略１２０ＭＰａとされている。また、「ＪＩＳ
Ｋ  ７１９１−１／ＩＳＯ  ７５−１」（１．８ＭＰａ）および／または「ＪＩＳ  Ｋ
７１９１−１／ＩＳＯ  ７５−２」（１．８ＭＰａ）に基づくタフロンＧ−２５１０の荷重たわみ温度は、略１４２℃とされている。
【０１２５】
また、ターンテーブル１０は、例えば比重が略０．８以上２以下、具体的には比重が略０．８３以上１．９８以下であって、射出形成が可能とされた熱可塑性の耐熱性合成樹脂材料を含む組成物が用いられて形成される。樹脂材料は、例えば金属材料よりも比重が小さく軽量化に適した材料とされている。例えば、鉄の比重が略７．８５〜７．８７とされ、銅の比重が略８．９２〜８．９５とされているのに対し、ＰＰＳの比重は略１．３５〜１．４２とされ、充填剤入りＰＰＳの比重は略１．５２〜２とされている。また、ＰＣの比重は略１．２、充填剤入りＰＣの比重は略１．２４〜１．４３とされている。
【０１２６】
比重が略２以下の射出形成が可能な熱可塑性の耐熱性合成樹脂材料を含む組成物が用いられて、光ディスク装置１を構成するターンテーブル１０が形成されていれば、例えばターンテーブル１０の高速回転駆動時に生じる振動等が改善され、回転駆動特性等が向上された光ディスク装置１が構成される。
【０１２７】
比重が略２近傍であって、射出形成が可能とされた熱可塑性の耐熱性合成樹脂材料を含む組成物として、例えば充填剤が多く混入されたＰＰＳ等が挙げられる。比重が略２近傍の充填剤入りＰＰＳとして、例えばポリプラスチックス社製：フォートロン（登録商標）６１６５Ａ６等が挙げられる。フォートロン（登録商標）６１６５Ａ６の比重は略１．９８とされている。また、「ＩＳＯ  １７８」に基づくフォートロン６１６５Ａ６の曲げ強さは、略１９０ＭＰａとされている。また、「ＩＳＯ  ７５−１」（１．８ＭＰａ）および／または「ＩＳＯ  ７５−２」（１．８ＭＰａ）に基づくフォートロン６１６５Ａ６の荷重たわみ温度は、略２７０℃とされている。
【０１２８】
また、比重が略１．４近傍であって、射出形成が可能とされた熱可塑性の耐熱性合成樹脂材料を含む組成物として、例えば充填剤が多く混入されたＰＣ等が挙げられる。比重が略１．４近傍の充填剤入りＰＣとして、例えば帝人化成社製：パンライト（登録商標）Ｇ−３４３０Ｒ等が挙げられる。パンライト（登録商標）Ｇ−３４３０Ｒの比重は略１．４３とされている。また、「ＩＳＯ  １７８」に基づくパンライトＧ−３４３０Ｒの曲げ強さは、略１６０ＭＰａとされている。また、「ＩＳＯ  ７５−１」（１．８ＭＰａ）およ
び／または「ＩＳＯ  ７５−２」（１．８ＭＰａ）に基づくパンライトＧ−３４３０Ｒの荷重たわみ温度は、略１４８℃とされている。
【０１２９】
また、射出形成が可能な熱可塑性の耐熱性合成樹脂材料のなかで、最も軽い合成樹脂材料／組成物の比重は、例えば一般的に略０．８程度とされている。比重が略０．８近傍であって、射出形成が可能とされた熱可塑性の耐熱性合成樹脂材料／組成物として、例えばポリメチルペンテン（Polymethylpentene）等が挙げられる。例えばポリメチルペンテンの比重は略０．８３〜０．８４とされている。ポリメチルペンテンとして、例えば三井化学社製：ＴＰＸ（登録商標）ＲＴ３１等が挙げられる。「ＴＰＸ」は、「Transparent Polymer X」の略称とされている。また、「ＡＳＴＭ  Ｄ−７９０」に基づく「ＴＰＸ  ＲＴ３１」の曲げ強度は、略５１ＭＰａとされている。また、「ＡＳＴＭ  Ｄ−６４８」（６６ｐｓｉ）に基づく「ＴＰＸ  ＲＴ３１」の荷重たわみ温度は、略９０℃とされている。
【０１３０】
上記光学式ヘッド装置５０は、例えば、「ＣＤ−ＲＯＭ」，「ＤＶＤ−ＲＯＭ」，「ＨＤ  ＤＶＤ−ＲＯＭ」，「ＢＤ−ＲＯＭ」などの読出し専用の光ディスクや、「ＣＤ−Ｒ」，「ＤＶＤ−Ｒ」，「ＤＶＤ＋Ｒ」，「ＨＤ  ＤＶＤ−Ｒ」，「ＢＤ−Ｒ」などの追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ  ＤＶＤ−ＲＷ」，「ＨＤ  ＤＶＤ−ＲＡＭ」，「ＢＤ−ＲＥ」などの書込み／消去や書換え可能なタイプの光ディスクに対応したものとされる。
【０１３１】
光学式ヘッド装置（５０）の設計／仕様等により、例えば光学式ヘッド装置（５０）は、「ＣＤ−ＲＯＭ」，「ＤＶＤ−ＲＯＭ」，「ＨＤ  ＤＶＤ−ＲＯＭ」，「ＢＤ−ＲＯＭ」などの読出し専用の光ディスクに対応し、「ＣＤ−Ｒ」，「ＤＶＤ−Ｒ」，「ＤＶＤ＋Ｒ」，「ＨＤ  ＤＶＤ−Ｒ」，「ＢＤ−Ｒ」などの追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ  ＤＶＤ−ＲＷ」，「ＨＤ  ＤＶＤ−ＲＡＭ」，「ＢＤ−ＲＥ」などの書込み／消去や書換え可能なタイプの光ディスクに対し、非対応とされてもよい。
【０１３２】
また、上記光学式ヘッド装置５０を備える光ディスク装置１は、例えば、ノート型パーソナルコンピュータ（図示せず）や、ラップトップ型パーソナルコンピュータ（図示せず）や、デスクトップ型パーソナルコンピュータ（図示せず）などのコンピュータや、ＣＤプレーヤ、ＤＶＤプレーヤなどの音響および／または映像機器（図示せず）などに装備可能なものとされる。また、上記光学式ヘッド装置５０を備える光ディスク装置１は、ＣＤ系光ディスクや、ＤＶＤ系光ディスクや、「Blu-ray Disc」系光ディスク等の複数のディスクに対応可能なものとされる。
【０１３３】
以上、本発明の実施形態について説明したが、前述した実施形態は、本発明の理解を容易にするためのものであり、本発明を限定して解釈するためのものではない。本発明は、その趣旨を逸脱することなく、変更／改良され得るとともに、その等価物も含まれる。
【図面の簡単な説明】
【０１３４】
【図１】本発明に係るディスク装置の一実施の形態を示す説明図である。
【図２】ディスク装置のターンテーブルにヘッドが最も近付けられた状態を示す説明図である。
【図３】ディスク装置のターンテーブルからヘッドが離された状態を示す説明図である。
【図４】ディスク装置のターンテーブルの表面側を示す斜視図である。
【図５】ディスク装置のターンテーブルの裏面側を示す斜視図である。
【符号の説明】
【０１３５】
１      光ディスク装置（ディスク装置）
２      ドライブ装置
３      クランプ装置
１０    ターンテーブル
１１    表面部（第一面部）
１２    側面部（第二面部）
１３    裏面部（第三面部）
１４    角部
１５    切欠き部（干渉回避部）
１５ａ  始端部
１５ｂ  下側周縁端部（終端部）
１６    中心部（略中心部）
１６ａ  固定孔（孔）
１７    外周縁部（周縁部）
１８    冷却促進部
１８ａ  空冷溝（溝）
１８ｂ  奥端部
１８ｃ  開放部
２０    スピンドルモータ（モータ）
２１    回転軸（軸）
３０    回路基板（基板）
４０    クランパ
４１    光ディスク押圧面部（ディスク押圧面部）
４５    内周縁端部
５０    光学式ヘッド装置（ヘッド）
６１    第一対物レンズ（対物レンズ）
６２    第二対物レンズ（対物レンズ）
７０    レンズホルダ
８０    突出部
９０    ハウジング
１００  光ディスク（ディスク）
１０１  内周部
１０２  外周部
１１０  信号面部
１２０  ＰＣＡ（パワーキャリブレーションエリア）
１４０  クランプエリア
１５０  中心部
１６０  丸孔（孔）
Ｄｆ    フォーカス方向（クランプ方向）
Ｄｒ    ラジアル方向（往復移動方向）
Ｄｔ    タンジェンシャル方向
【図１】
2008091008.tif 000003
【図２】
2008091008.tif 000004
【図３】
2008091008.tif 000005
【図４】
2008091008.tif 000006
【図５】
2008091008.tif 000007